【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
撮影者に関する生体情報と上記撮影者によって撮像された動画データとを記録する記録手段と、
上記記録手段から、複数のブロックに分割して記録された動画データと、上記動画データの再生順序を示す動画再生プログラムチェーン情報と、上記動画データの再生開始からの経過時間に関する第１情報と、を読み出す動画情報読出手段と、
上記記録手段から、上記動画データと同時に検出された生体情報と、上記生体情報の検出が開始された時刻からの経過時間に関する第２情報と、を読み出す生体情報読出手段と、
上記生体情報に基づいて、上記動画データに編集処理を施す区間を求める生体情報処理手段と、
上記編集処理を施す区間の上記動画データに対して編集処理を施す編集処理手段と、
を具備したことを特徴とする画像編集装置。
【請求項２】
上記編集処理手段は、所定のブロック単位で編集処理を行い、編集前のブロックの内の上記編集処理が施されなかったブロックと上記編集処理が施されたブロックとを、上記動画再生プログラムチェーン情報に基づいて連結するものであることを特徴とする請求項１に記載の画像編集装置。
【請求項３】
上記動画データは、撮影者の頭部に装着された状態のカメラにより撮影して得られたものであることを特徴とする請求項１に記載の画像編集装置。
【請求項４】
上記生体情報は、撮影者の頭部の角速度に係る角速度情報を含むことを特徴とする請求項３に記載の画像編集装置。
【請求項５】
上記編集処理手段は、上記角速度情報に基づいて、上記記録された動画データの、カッティングと、ぶれ補正と、記録時間の引き延ばしと、電子ズーミングと、の内の少なくとも１つを、上記編集処理として行うものであることを特徴とする請求項４に記載の画像編集装置。
【請求項６】
上記生体情報は、撮影者の視線方向に係る視線方向情報を含むことを特徴とする請求項１に記載の画像編集装置。
【請求項７】
上記編集処理手段は、上記視線方向情報に基づいて、上記記録された動画データの電子ズーミングを、上記編集処理として行うものであることを特徴とする請求項６に記載の画像編集装置。
【請求項８】
動画データと同時に検出された生体情報に基づいて、上記動画データに編集処理を施す区間を求める生体情報処理手段と、
所定データ量のブロックに分割された動画データの再生順序を示す動画再生プログラムチェーン情報に基づいて連結された動画データのうち、上記編集処理を施す区間の動画データに対して画像処理を施す第１画像処理手段と、
上記画像処理が施された動画データと、上記動画データのうち上記画像処理が施されなかった動画データとを上記動画再生プログラムチェーン情報に基づいて連結する第２画像処理手段と、
を具備したことを特徴とする画像編集装置。
【請求項９】
上記動画データは、撮影者の頭部に装着された状態のカメラにより撮影して得られたものであることを特徴とする請求項８に記載の画像編集装置。
【請求項１０】
上記生体情報は、撮影者の頭部の角速度に係る角速度情報を含み、上記第１画像処理手段は、上記角速度情報に基づいて、上記画像データの、カッティングと、ぶれ補正と、記録時間の引き延ばしと、電子ズーミングと、の内の少なくとも１つを、上記画像処理として行うものであることを特徴とする請求項８に記載の画像編集装置。
【請求項１１】
上記生体情報は撮影者の視線方向に係る視線方向情報を含み、上記第１画像処理手段は、上記視線方向情報に基づいて、記録された画像データの電子ズーミングを、上記画像処理として行うものであることを特徴とする請求項８に記載の画像編集装置。
【請求項１２】
動画データと同時に検出された生体情報に基づいて、上記動画データに編集処理を施す区間を求める第１ステップと、
所定データ量のブロックに分割された動画データの再生順序を示す動画再生プログラムチェーン情報に基づいて連結された動画データのうち、上記編集処理を施す区間の動画データに対して画像処理を施す第２ステップと、
上記画像処理が施された動画データと、上記動画データのうち上記画像処理が施されなかった動画データとを上記動画再生プログラムチェーン情報に基づいて連結する第３ステップと、
を具備したことを特徴とする画像編集方法。
【請求項１３】
上記動画データは、撮影者の頭部に装着された状態のカメラにより撮影して得られたものであることを特徴とする請求項１２に記載の画像編集方法。
【請求項１４】
上記生体情報は撮影者の頭部の角速度に係る角速度情報を含み、上記第１ステップにおける上記画像処理は、上記角速度情報に基づいて、上記画像データの、カッティングと、ぶれ補正と、記録時間の引き延ばしと、電子ズーミングと、の内の少なくとも１つを行うものであることを特徴とする請求項１２に記載の画像編集方法。
【請求項１５】
上記生体情報は、撮影者の視線方向に係る視線方向情報を含み、上記第１ステップにおける上記画像処理は、上記視線方向情報に基づいて、記録された画像データの電子ズーミングを行うものであることを特徴とする請求項１２に記載の画像編集方法。
【請求項１６】
動画データと同時に検出された生体情報に基づいて、上記動画データに編集処理を施す区間を求める第１ステップと、
所定データ量のブロックに分割された動画データの再生順序を示す動画再生プログラムチェーン情報に基づいて連結された動画データのうち、上記編集処理を施す区間の動画データに対して画像処理を施す第２ステップと、
上記画像処理が施された動画データと、上記動画データのうち上記画像処理が施されなかった動画データとを上記動画再生プログラムチェーン情報に基づいて連結する第３ステップと、
をコンピュータに実行させるための画像編集プログラム。
【手続補正２】
【補正対象書類名】明細書
【補正対象項目名】発明の名称
【補正方法】変更
【補正の内容】
【発明の名称】画像編集装置、画像編集方法、画像編集プログラム
【手続補正３】
【補正対象書類名】明細書
【補正対象項目名】０００１
【補正方法】変更
【補正の内容】
【０００１】
本発明は、記録手段から動画データを読み出して編集を行うための画像編集装置、画像編集方法、画像編集プログラムに関する。
【手続補正４】
【補正対象書類名】明細書
【補正対象項目名】０００９
【補正方法】変更
【補正の内容】
【０００９】
本発明は上記事情に鑑みてなされたものであり、撮影者の意思を反映した編集処理を行い得る画像編集装置、画像編集方法、画像編集プログラムを提供することを目的としている。
【手続補正５】
【補正対象書類名】明細書
【補正対象項目名】００１０
【補正方法】変更
【補正の内容】
【００１０】
上記の目的を達成するために、第１の発明による画像編集装置は、撮影者に関する生体情報と上記撮影者によって撮像された動画データとを記録する記録手段と、上記記録手段から、複数のブロックに分割して記録された動画データと、上記動画データの再生順序を示す動画再生プログラムチェーン情報と、上記動画データの再生開始からの経過時間に関する第１情報と、を読み出す動画情報読出手段と、上記記録手段から、上記動画データと同時に検出された生体情報と、上記生体情報の検出が開始された時刻からの経過時間に関する第２情報と、を読み出す生体情報読出手段と、上記生体情報に基づいて、上記動画データに編集処理を施す区間を求める生体情報処理手段と、上記編集処理を施す区間の上記動画データに対して編集処理を施す編集処理手段と、を具備したものである。
【手続補正６】
【補正対象書類名】明細書
【補正対象項目名】００１１
【補正方法】変更
【補正の内容】
【００１１】
また、第２の発明による画像編集装置は、動画データと同時に検出された生体情報に基づいて、上記動画データに編集処理を施す区間を求める生体情報処理手段と、所定データ量のブロックに分割された動画データの再生順序を示す動画再生プログラムチェーン情報に基づいて連結された動画データのうち、上記編集処理を施す区間の動画データに対して画像処理を施す第１画像処理手段と、上記画像処理が施された動画データと、上記動画データのうち上記画像処理が施されなかった動画データとを上記動画再生プログラムチェーン情報に基づいて連結する第２画像処理手段と、を具備したものである。
【手続補正７】
【補正対象書類名】明細書
【補正対象項目名】００１２
【補正方法】変更
【補正の内容】
【００１２】
また、第３の発明による画像編集方法は、動画データと同時に検出された生体情報に基づいて、上記動画データに編集処理を施す区間を求める第１ステップと、所定データ量のブロックに分割された動画データの再生順序を示す動画再生プログラムチェーン情報に基づいて連結された動画データのうち、上記編集処理を施す区間の動画データに対して画像処理を施す第２ステップと、上記画像処理が施された動画データと、上記動画データのうち上記画像処理が施されなかった動画データとを上記動画再生プログラムチェーン情報に基づいて連結する第３ステップと、を具備したものである。
【手続補正８】
【補正対象書類名】明細書
【補正対象項目名】００１３
【補正方法】変更
【補正の内容】
【００１３】
さらに、第４の発明による画像編集プログラムは、動画データと同時に検出された生体情報に基づいて、上記動画データに編集処理を施す区間を求める第１ステップと、所定データ量のブロックに分割された動画データの再生順序を示す動画再生プログラムチェーン情報に基づいて連結された動画データのうち、上記編集処理を施す区間の動画データに対して画像処理を施す第２ステップと、上記画像処理が施された動画データと、上記動画データのうち上記画像処理が施されなかった動画データとを上記動画再生プログラムチェーン情報に基づいて連結する第３ステップと、をコンピュータに実行させるものである。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
本発明の画像編集装置、画像編集方法、画像編集プログラムによれば、撮影者の意思を反映した編集処理を行うことが可能となる。
【手続補正１６】
【補正対象書類名】明細書
【補正対象項目名】０５９０
【補正方法】変更
【補正の内容】
【０５９０】
本発明は、記録手段から動画データを読み出して編集を行うための画像編集装置、画像編集方法、画像編集プログラムに好適に利用することができる。